(57)【特許請求の範囲】
【請求項１】
第１マスク、又は、該第１マスクと形状及び／又はサイズが異なる第２マスクを重ねたシートを折り畳んで前記第１マスク又は前記第２マスクを収納するマスクケースであって、
前記シートは、２つ折りした前記第１マスク又は前記第２マスクの一方の面が重なる第１面部と第２面部、２つ折りした前記第１マスク又は前記第２マスクの他方の面が重なる第３面部と第４面部を備え、
前記第１面部と前記第２面部の間には第１縦折り線が設けられ、
前記第１面部と前記第３面部の間には第１横折り線が設けられ、
前記第２面部と前記第４面部の間には第２横折り線が設けられ、
前記第１横折り線に沿って前記第３面部を前記第１面部に折り重ね、前記第２横折り線に沿って前記第４面部を前記第２面部に折り重ねた状態で、前記第３面部と前記第４面部が内側になるようにして前記第１縦折り線に沿って前記第１面部を前記第２面部側に折り重ねて固定する止め部が、前記第１面部と前記第２面部に設けられ、
前記第２面部と前記第４面部には、前記第１マスクに設けられた一対の耳掛け部を係合固定する第１係合固定部と、前記第２マスクに設けられた一対の耳掛け部を係合固定する第２係合固定部が設けられていることを特徴とするマスクケース。
【請求項２】
前記第１係合固定部はＵ字状の溝穴により形成された長舌片であり、前記第２係合固定部は、前記第２面部と前記第４面部の対向する端縁に設けられた切欠きにより形成された短舌片であることを特徴とする請求項１記載のマスクケース。
【請求項３】
前記止め部は、前記第１面部又は前記第２面部に第２縦折り線を介して連設された突出面部と、該突出面部が重ね合わされる前記第１面部又は前記第２面部に取り付けられるスナップボタンにより形成されることを特徴とする請求項１又は請求項２記載のマスクケース。
【請求項４】
前記第１面部には前記第１横折り線と対向する側に第３横折り線を介して第１カバー面部が連設され、前記第２面部には前記第２横折り線と対向する側に第４横折り線を介して第２カバー面部が連設されていることを特徴とする請求項１乃至請求項３のいずれかに記載したマスクケース
【請求項５】
ポリウレタン素材からなる第１ウレタンマスク及び第２ウレタンマスクを重ねたシートを折り畳んで前記第１ウレタンマスク及び前記第２ウレタンマスクを収納するマスクケースであって、
前記シートは、４つ折りした前記第１ウレタンマスク及び前記第２ウレタンマスクの一方の面が重なる第１面部と第２面部、４つ折りした前記第１ウレタンマスク及び前記第２ウレタンマスクの他方の面が重なる第３面部と第４面部を備え、
前記第１面部と前記第２面部の間には第１縦折り線が設けられ、
前記第１面部と前記第３面部の間には第１横折り線が設けられ、
前記第２面部と前記第４面部の間には第２横折り線が設けられ、
前記第１横折り線に沿って前記第３面部を前記第１面部に折り重ね、前記第２横折り線に沿って前記第４面部を前記第２面部に折り重ねた状態で、前記第３面部と前記第４面部が内側になるようにして前記第１縦折り線に沿って前記第１面部を前記第２面部側に折り重ねて固定する止め部が、前記第１面部と前記第２面部に設けられ、
前記第３面部には、前記第１ウレタンマスクに設けられた耳掛け部を引っ掛ける第１引掛け部が設けられ、前記第４面部には、前記第２ウレタンマスクに設けられた耳掛け部を引っ掛ける第２引掛け部が設けられていることを特徴とするマスクケース。
【発明の詳細な説明】
【技術分野】
【０００１】
本発明は、鼻・口を覆う衛生用具としてのマスクを収納するマスクケースに関するものである。
【背景技術】
【０００２】
近年、各種ウィルスの流行等により、鼻・口を覆う衛生用具としてのマスクを着用する人が増加し、マスクを衣服のポケットやバック等に入れて持ち歩く人も多く、マスクを一時的に収納して保管する携帯用のマスクケースも多く使用されている。
そのため、マスクの保管のしやすさや携帯性向上等のため、種々のマスクケースが提案されている。
例えば、特許文献１（特開２０１１−１０３９４０号公報）には、略長方形のシート材からなるケース本体を二つ折りにして、マスクをケース本体で挟んで収納し、マスク耳掛けを掛ける突出部を持ち、本体ケースを二つ折りした際に、本体ケースが開かずにマスクを挟んだ状態を維持させる為の留め具又は係止部を取り付けたマスク収納ケースが開示されている。
しかしながら、特許文献１のマスク収納ケースでは、ケース本体を二つ折りにしてマスクを収納することから、マスクのサイズが大きくなると、二つ折りしたケース本体のサイズも大きくなり、衣服のポケットに入らない場合がある。
また、特許文献１においては、マスク本体の短辺端縁にはマスク耳掛けが掛けられる突出部が長手方向に延設されているが、マスクとその耳掛けには種々の形状・大きさがあり、一対のマスク耳掛け間の長さも一定せず、特許文献１のマスク収納ケースは、特定の形状・大きさのマスクしか収納できないという問題がある。
【０００３】
次に、特許文献２（実用新案登録第３２２２１０３号公報）には、マスクを見栄えよく、かつ衛生的に収容するためのマスクケースであって、折り畳まれることにより前記マスクの本体部を挟み込む、抗菌性を有する紙製の保護シートと、 折り畳まれることにより前記マスクの本体部および前記保護シートを挟み込む、前記保護シートよりも厚手の紙製の内側シートと、 折り畳まれることにより前記マスクの本体部および前記保護シートを挟み込んだ前記内側シートを収容する紙製の外側シートとを備えたマスクケースが開示されている。
しかしながら、特許文献２のマスクケースは、保護シートと内側シートと外側シートの３種類のシートからなる３重構造のマスクケースであり、構造が複雑となって高価となるのみならず、マスクの収納や取り出しに手間がかかる。
また、特許文献２のマスクケースは、マスク本体を折り畳まずに収納するものであり、マスク本体より大きなサイズとなり、衣服のポケットに入れることはできない。
さらに、特許文献２においては、内側シートが切り込み加工によって形成された２つの引っ掛け部を有し、この引っ掛け部にマスクの耳掛け紐を引っ掛けることができるが、マスクとその耳掛けには種々の形状・大きさがあり、特許文献１と同様に、内側シートの引っ掛け部には、特定の形状・大きさのマスクの耳掛け紐しか引っ掛けることができない。
その上、特許文献２の引っ掛け部は、切込み加工によって形成されているため、マスクの耳掛け紐を引っ掛けるのに引っ掛け部を持ち上げる必要があり、手間がかかり引っ掛けにくく、特に、紐ではなくシートを打ち抜いて形成された耳掛けに対して引っ掛けにくくなる。
【０００４】
ところで、ここ最近のマスク需要の高まりによってマスクを携帯する人も増え、できるだけコンパクトにマスクを収納できるマスクケースが望まれるようになり、マスクを４つ折りにして収納するマスクケースが市場で販売されている。
例えば、非特許文献１のインターネットショッピングサイトには、４つ折りのマスク収納ケースが記載されている。
図１１は、非特許文献１に記載された４つ折りのマスク収納ケースの説明図であり、同図（ａ）は、展開した状態のマスク収納ケースの正面図、同図（ｂ）は、マスクの正面図、同図（ｃ）は、展開した状態のマスク収納ケースにマスクを重ねた状態の正面図、同図（ｄ）は、同図（ｃ）の状態のものを２つに折った状態の正面図、同図（ｅ）は、同図（ｄ）の状態のものをさらに２つに折った状態の正面図、同図（ｆ）は、折り畳んだマスク収納ケースにマスクの紐を掛けた状態の正面図である。
図１１（ａ）に示すように、マスク収納ケース１００は、１枚のポリプロピレン製のシートからなり、４つの面部１０１、１０２、１０３、１０４を備え、各面部には半円状の切欠き１０５ａ、１０５ｂ、１０５ｃ、１０５ｄが設けられ、上側の面部１０１、１０２の間には縦折り線１０６ａ、１０６ｂが設けられ、左側の面部１０１、１０３の間には横折り線１０７ａ、１０７ｃが設けられ、右側の面部１０２、１０４の間には横折り線１０７ｂ、１０７ｄが設けられている。
図１１（ｂ）に示すように、マスク収納ケース１００に収納されるマスク１１０は、マスク本体部１１１と耳掛け紐１１２、１１３からなる。
マスク収納ケース１００へのマスク１１０の収納は次のようにして行われる。
まず、図１１（ｃ）に示すように、マスク収納ケース１００の面部１０１、１０２、１０３、１０４にマスク本体部１１１を重ねる。このとき、耳掛け紐１１２が切欠き１０５ａ、１０５ｃに掛かる位置に、耳掛け紐１１３が切欠き１０５ｂ、１０５ｄに掛かる位置にくるようにする。
次に、図１１（ｄ）に示すように、マスク収納ケース１００とマスク１１０を上下方向に２つ折りする。
すなわち、横折り線１０７ａ、１０７ｃを折って、面部１０３を面部１０１に重ね、横折り線１０７ｂ、１０７ｄを折って、面部１０４を面部１０２に重ねる。  
次に、図１１（ｅ）に示すように、上下方向に２つ折りしたマスク収納ケース１００とマスク１１０を左右方向に２つ折りする。
すなわち、縦折り線１０６ａ、１０６ｂを折って、面部１０４が面部１０３に重なり、面部１０２が面部１０１に重なるようにする。
最後に、図１１（ｆ）に示すように、耳掛け紐１１２、１１３を伸ばして４つ折りした面部１０２（１０１）に掛け渡し、折り畳んだマスク収納ケース１００が開かないようにする。
これにより、使用者は、マスク１１０を４つ折りして収納したマスク収納ケース１００を、衣服のポケット等に入れて持ち運ぶことができる。
【０００５】
しかしながら、図１０（ｆ）の４つ折りしたマスク収納ケース１００においては、外部に露出した耳掛け紐１１２、１１３にウィスルが付着する危険性があり、衛生面で好ましくなく、しかも、耳掛け紐１１２、１１３を伸ばして面部１０２（１０１）に掛け渡しているため、耳掛け紐１１２、１１３の伸びが小さく締め付けが弱いと、耳掛け紐１１２、１１３が外れやすく、４つ折りしたマスク収納ケース１００が開いてマスク１１０が脱落しやすいという問題がある。
また、マスクとその耳掛けには種々の形状・大きさがあり、図１０（ｅ）の状態で、面部１０２（１０１）の外側に突出している耳掛け紐１１２、１１３が、面部１０２（１０１）より長い場合は、耳掛け紐１１２、１１３を伸ばした状態で面部１０２（１０１）に掛けられず、４つ折りしたマスク収納ケース１００が開くのを防止できず、逆に、面部１０２（１０１）の外側に突出している耳掛け紐１１２、１１３が短すぎると、面部１０２（１０１）に耳掛け紐１１２、１１３を掛け渡すことができない。
さらに、耳掛け紐がなく、シートを打ち抜いて耳掛け部が形成されたマスクの場合、耳掛け部を面部１０２（１０１）に掛け渡すことができず、このようなマスクはマスク収納ケース１００に収納することができない。
【先行技術文献】
【特許文献】
【０００６】
【特許文献１】特開２０１１−１０３９４０号公報
【特許文献２】実用新案登録第３２２２１０３号公報
【非特許文献】
【０００７】
【非特許文献１】“TopACE マスク収納ケース防水 長方形マスクコンテナー PP製軽量 持ちやすい 収納ケース 折り畳み コンパクト マスク携帯用ファイル マスク置きケース 昼休み 食事用 ポータブルマスクケース（10枚入）”，［online］，［令和２年８月２７日検索］，インターネット，＜URL：https://www.amazon.co.jp/TopACE-%E3%83%9E%E3%82%B9%E3%82%AF%E5%8F%8E%E7%B4%8D%E3%82%B1%E3%83%BC%E3%82%B9-%E9%95%B7%E6%96%B9%E5%BD%A2%E3%83%9E%E3%82%B9%E3%82%AF%E3%82%B3%E3%83%B3%E3%83%86%E3%83%8A%E3%83%BC-%E3%83%9E%E3%82%B9%E3%82%AF%E6%90%BA%E5%B8%AF%E7%94%A8%E3%83%95%E3%82%A1%E3%82%A4%E3%83%AB-%E3%83%9D%E3%83%BC%E3%82%BF%E3%83%96%E3%83%AB%E3%83%9E%E3%82%B9%E3%82%AF%E3%82%B1%E3%83%BC%E3%82%B9%EF%BC%8810%E6%9E%9A%E5%85%A5%EF%BC%89/dp/B086L1MDMK/ref=sr_1_54?__mk_ja_JP=%E3%82%AB%E3%82%BF%E3%82%AB%E3%83%8A&dchild=1&keywords=%E3%83%9E%E3%82%B9%E3%82%AF%E3%82%B1%E3%83%BC%E3%82%B9&qid=1598484984&sr=8-54＞
【発明の概要】
【発明が解決しようとする課題】
【０００８】
本発明が解決しようとする課題は、マスクを折り畳んだ状態で収納したマスクケースにおいて、マスクケースを衣服のポケットに入れて携帯できるようにコンパクトにし、種々の形状・大きさのマスクや耳掛け紐がないマスクに対しても、マスクの耳掛け部を外部に露出させず、内側に収納固定して、ウィルスが付着する危険性をなくし、マスクがマスクケースから脱落することなく確実にマスクを収納することができ、マスクの収納・取り出しが容易に行えるようにすることである。
【課題を解決するための手段】
【０００９】
請求項１の発明は、第１マスク、又は、該第１マスクと形状及び／又はサイズが異なる第２マスクを重ねたシートを折り畳んで前記第１マスク又は前記第２マスクを収納するマスクケースであって、前記シートは、２つ折りした前記第１マスク又は前記第２マスクの一方の面が重なる第１面部と第２面部、２つ折りした前記第１マスク又は前記第２マスクの他方の面が重なる第３面部と第４面部を備え、前記第１面部と前記第２面部の間には第１縦折り線が設けられ、前記第１面部と前記第３面部の間には第１横折り線が設けられ、前記第２面部と前記第４面部の間には第２横折り線が設けられ、前記第１横折り線に沿って前記第３面部を前記第１面部に折り重ね、前記第２横折り線に沿って前記第４面部を前記第２面部に折り重ねた状態で、前記第３面部と前記第４面部が内側になるようにして前記第１縦折り線に沿って前記第１面部を前記第２面部側に折り重ねて固定する止め部が、前記第１面部と前記第２面部に設けられ、前記第２面部と前記第４面部には、前記第１マスクに設けられた一対の耳掛け部を係合固定する第１係合固定部と、前記第２マスクに設けられた一対の耳掛け部を係合固定する第２係合固定部が設けられているマスクケースを提供して、上記課題を解決するものである。
【００１０】
請求項２の発明は、前記第１係合固定部はＵ字状の溝穴により形成された長舌片であり、前記第２係合固定部は、前記第２面部と前記第４面部の対向する端縁に設けられた切欠きにより形成された短舌片であるマスクケースを提供して、上記課題を解決するものである。
【００１１】
請求項３の発明は、前記止め部は、前記第１面部又は前記第２面部に第２縦折り線を介して連設された突出面部と、該突出面部が重ね合わされる前記第１面部又は前記第２面部に取り付けられるスナップボタンにより形成されるマスクケースを提供して、上記課題を解決するものである。
【００１２】
請求項４の発明は、前記第１面部には前記第１横折り線と対向する側に第３横折り線を介して第１カバー面部が連設され、前記第２面部には前記第２横折り線と対向する側に第４横折り線を介して第２カバー面部が連設されているマスクケースを提供して、上記課題を解決するものである。
【００１３】
請求項５の発明は、ポリウレタン素材からなる第１ウレタンマスク及び第２ウレタンマスクを重ねたシートを折り畳んで前記第１ウレタンマスク及び前記第２ウレタンマスクを収納するマスクケースであって、前記シートは、４つ折りした前記第１ウレタンマスク及び前記第２ウレタンマスクの一方の面が重なる第１面部と第２面部、４つ折りした前記第１ウレタンマスク及び前記第２ウレタンマスクの他方の面が重なる第３面部と第４面部を備え、前記第１面部と前記第２面部の間には第１縦折り線が設けられ、前記第１面部と前記第３面部の間には第１横折り線が設けられ、前記第２面部と前記第４面部の間には第２横折り線が設けられ、前記第１横折り線に沿って前記第３面部を前記第１面部に折り重ね、前記第２横折り線に沿って前記第４面部を前記第２面部に折り重ねた状態で、前記第３面部と前記第４面部が内側になるようにして前記第１縦折り線に沿って前記第１面部を前記第２面部側に折り重ねて固定する止め部が、前記第１面部と前記第２面部に設けられ、前記第３面部には、前記第１ウレタンマスクに設けられた耳掛け部を引っ掛ける第１引掛け部が設けられ、前記第４面部には、前記第２ウレタンマスクに設けられた耳掛け部を引っ掛ける第２引掛け部が設けられているマスクケースを提供して、上記課題を解決するものである。
【発明の効果】
【００１４】
請求項１に記載の発明のマスクケースにおいては、第１横折り線に沿って第３面部を第１面部に折り重ね、第２横折り線に沿って第４面部を第２面部に折り重ねた状態で、第３面部と第４面部が内側になるようにして第１縦折り線に沿って記第１面部を第２面部側に折り重ねて止め部で固定するため、マスクケースを衣服のポケットに入れて携帯できるようにコンパクトにでき、第２面部と第４面部には、第１マスクに設けられた一対の耳掛け部を係合固定する第１係合固定部と、第２マスクに設けられた一対の耳掛け部を係合固定する第２係合固定部が設けられているため、種々の形状・大きさのマスクに対しても、マスクの耳掛け部を外部に露出させず、内側に収納固定して、ウィルスが付着する危険性をなくし、マスクがマスクケースから脱落することなく確実にマスクを収納することができ、マスクの収納・取り出しに容易に行えるという効果を奏する。
【００１５】
請求項２に記載の発明のマスクケースにおいては、さらに、第１マスクに設けられた一対の耳掛け部を容易かつ確実に第１係合固定部に係合固定でき、第２マスクに設けられた一対の耳掛け部を容易かつ確実に第２係合固定部に係合固定できるという効果を奏する。
【００１６】
請求項３に記載の発明のマスクケースにおいては、さらに、容易かつ確実に、第１面部を第２面部側に折り重ねて固定できるという効果を奏する。
【００１７】
請求項４に記載の発明のマスクケースにおいては、さらに、マスクケースの上部からウィルスが侵入してマスに付着するのを防止できるという効果を奏する。
【００１８】
請求項５に記載の発明のマスクケースにおいては、第１横折り線に沿って第３面部を第１面部に折り重ね、第２横折り線に沿って第４面部を第２面部に折り重ねた状態で、第３面部と第４面部が内側になるようにして第１縦折り線に沿って記第１面部を第２面部側に折り重ねて止め部で固定するため、マスクケースを衣服のポケットに入れて携帯できるようにコンパクトにでき、第３面部には第１ウレタンマスクに設けられた耳掛け部を引っ掛ける第１引掛け部が設けられ、第４面部には第２ウレタンマスクに設けられた耳掛け部を引っ掛ける第２引掛け部が設けられているため、耳掛け紐がないマスクに対しても、マスクの耳掛け部を外部に露出させず、内側に収納固定して、ウィルスが付着する危険性をなくし、マスクがマスクケースから脱落することなく確実に２個のマスクを収納することができ、マスクの収納・取り出しが容易に行えるという効果を奏する。
【図面の簡単な説明】
【００１９】
【図１】本発明のマスクケースの斜視図である。
【図２】図１に示すマスクケースの展開図、Ａ−Ａ断面図、Ｂ−Ｂ断面図である。
【図３】プラスチックシート１０にカバー面部を設けたものの展開図である。
【図４】マスクケース１に収納されるマスクの斜視図である。
【図５】第１マスク２０を上下方向に２つ折りした状態の正面図、展開したプラスチックシート１０に２つ折りした第１マスク２０を重ねた状態の正面図である。
【図６】第３面部１３を第１面部１１に折り重ね、第４面部１４を第２面部１２に折り重ねた状態の正面図、第１マスク２０の耳掛け部２２、２３を長舌片Ｚ１ａ、Ｚ１ｂに係合固定した状態の平面図、第３面部１３と第４面部１４が内側になるように第１面部１１を第２面部１２に折り重ねた状態の平面図である。
【図７】第２マスク３０を上下方向に２つ折りした状態の正面図、展開したプラスチックシート１０に２つ折りした第２マスク３０を重ねた状態の正面図である。
【図８】第３面部１３を第１面部１１に折り重ね、第４面部１４を第２面部１２に折り重ねた状態の正面図、第２マスク３０の耳掛け部３２、３３を短舌片Ｚ２ａ、Ｚ２ｂに係合固定した状態の平面図、第３面部１３と第４面部１４が内側になるように第１面部１１を第２面部１２に折り重ねた状態の平面図である。
【図９】第１ウレタンマスクと第２ウレタンマスクを左右方向に２つ折りした状態の正面図、左右方向に２つ折りした第１ウレタンマスクと第２ウレタンマスクを上下方向に２つ折りした状態の正面図、展開したプラスチックシート１０に４つ折りした第１ウレタンマスクと第２ウレタンマスクを重ねた状態の正面図である。
【図１０】第３面部１３を第１面部１１に折り重ね第４面部１４を第２面部１２に折り重ねた状態の正面図、第１ウレタンマスクの耳掛け部を長舌片Ｚ１ａに係合固定し、第２ウレタンマスクの耳掛け部をＺ１ｂに係合固定した状態の平面図、第３面部１３と第４面部１４が内側になるように第１面部１１を第２面部１２に折り重ねた状態の平面図である。
【図１１】非特許文献１に記載された４つ折りのマスク収納ケースの説明図である。
【発明を実施するための形態】
【００２０】
［マスクケースの構成］
図１は、本発明のマスクケースの斜視図、図２（ａ）は、図１に示すマスクケースの展開図、図２（ｂ）は、図２（ａ）のＡ−Ａ断面図、図２（ｃ）は、図２（ａ）のＢ−Ｂ断面図である。
図中、１はマスクケース、１０はプラスチックシート、１１は第１面部、１２は第２面部、１３は第３面部、１３ａは端縁、１３ｂ、１３ｃ、１３ｄは切欠き、１４は第４面部、１４ａは端縁、１４ｂ、１４ｃ、１４ｄは切欠き、１５ａ、１５ｂは側面部、１６ａ、１６ｂは底面部、１７は突出面部、１８はスナップボタン、１８ａはスナップボタン凸部、１８ｂはスナップボタン凹部、ＭＡ１、ＭＡ２は溝穴、Ｚ１ａ、Ｚ１ｂは長舌片、Ｚ２ａ、Ｚ２ｂは短舌片、Ｔ１ａ、Ｔ１ｂは第１縦折り線、Ｔ２ａ、Ｔ２ｂは第２縦折り線、Ｙ１ａ、Ｙ１ｂは第１横折り線、Ｙ２ａ、Ｙ２ｂは第２横折り線である。
図１に示すように、マスクケース１は、正面側の第１面部１１、背面側の第２面部１２、側面部１５ａ、１５ｂ等からなる扁平な直方体形状のケースであり、プラスチックシート１０を折り重ねて組み立てられ、内部にマスクを収納する。
プラスチックシート１０は、ポリプロピレン（ＰＰ）、ポリエチレン（ＰＥ）、ポリエステル（ＰＥＴ）、ナイロン（ＮＹ）等のプラスチックからなり、厚さ０．０５〜０．５ｍｍの１枚の連続するシートである。
図２（ａ）に示すように、プラスチックシート１０は、上側に第１面部１１と第２面部１２を備え、下側に第３面部１３と第４面部１４を備えている。
第１面部１１と第２面部１２の間には、平行で同じ長さの第１縦折り線Ｔ１ａ、Ｔ１ｂが間隔を空けて設けられ、これにより第１面部１１の右端が第１縦折り線Ｔ１ａとなり、第２面部１２の左端が第１縦折り線Ｔ１ｂとなり、縦折り線Ｔ１ａと縦折り線Ｔ１ｂの間に側面部１５ａが形成されている。
また、第２面部１２の右側には、第２縦折り線Ｔ２ａ、Ｔ２ｂが設けられ、これを介して五角形状の突出面部１７が連設されている。
すなわち、第２面部１２の右端が第２縦折り線Ｔ２ａとなり、間隔を空けて平行で同じ長さの第２縦折り線Ｔ２ｂが設けられ、第２縦折り線Ｔ２ａと第２縦折り線Ｔ２ｂの間に側面部１５ｂが形成され、側面部１５ｂの右側に突出面部１７が連設されていることとなる。
【００２１】
第３面部１３は、第１面部１１の下側に設けられているが、両面部の間には平行で同じ長さの第１横折り線Ｙ１ａ、Ｙ１ｂが間隔を空けて設けられ、これにより第１面部１１の下端が第１横折り線Ｙ１ａとなり、第３面部１３の上端が第１横折り線Ｙ１ｂとなり、第１横折り線Ｙ１ａと第１横折り線Ｙ１ｂの間に底面部１６ａが形成されている。
同様に、第４面部１４は、第２面部１２の下側に設けられているが、両面部の間には平行で同じ長さの第２横折り線Ｙ２ａ、Ｙ２ｂが間隔を空けて設けられ、これにより第２面部１２の下端が第２横折り線Ｙ２ａとなり、第４面部１４の上端が第２横折り線Ｙ２ｂとなり、第２横折り線Ｙ２ａと第２横折り線Ｙ２ｂの間に底面部１６ｂが形成されている。
そして、第３面部１３においては、中央部にＵ字状の溝穴ＭＡ１が設けられて長い舌状の片となる長舌片Ｚ１ａが形成され、右側の端縁１３ａに半円状の切欠き１３ｂ、１３ｃが設けられて短い舌状の片となる短舌片Ｚ２ａが形成され、左側の端縁には縦長の台形状の切欠き１３ｄが設けられている。
同様に、第４面部１４においては、中央部にＵ字状の溝穴ＭＡ２が設けられて長舌片Ｚ１ｂが形成され、左側の端縁１４ａに半円状の切欠き１４ｂ、１４ｃが設けられて４短舌片Ｚ２ｂが形成され、右側の端縁には縦長の台形状の切欠き１４ｄが設けられている。
この場合、第３面部１３と第４面部１４は、間隔を空けて各溝穴、切欠きが線対象となるように配置され、長舌片Ｚ１ａ、Ｚ１ｂは、第１マスクに設けられた一対の耳掛け部を係合固定する第１係合固定部となると共に、長舌片Ｚ１ａは、第１ウレタンマスクに設けられた耳掛け部を引っ掛ける第１引掛け部となり、長舌片Ｚ１ｂは、第２ウレタンマスクに設けられた耳掛け部を引っ掛ける第２引掛け部となり、短舌片Ｚ２ａ、Ｚ２ｂは、第２マスクに設けられた一対の耳掛け部を係合固定する第２係合固定部となる。
【００２２】
スナップボタン１８は、プラスチック製のスナップボタン凸部１８ａとスナップボタン凹部１８ｂから構成され、いわゆるホックと形成する。
スナップボタン凸部１８ａは、円板と凸部材（ゲンコ）でプラスチックシート１０の突出面部１７を挟み込んで、この凸部材がプラスチックシート１０の正面側に位置するようにして取り付けられ、スナップボタン凹部１８ｂは、円板と凹部材（バネ）でプラスチックシート１０の第１面部１１を挟み込んで、この凹部材がプラスチックシート１０の背面側に位置するようにして取り付けられる。
そして、第１横折り線Ｙ１ａ、Ｙ１ｂに沿って第３面部１３を第１面部１１に折り重ね、第２横折り線Ｙ２ａ、Ｙ２ｂに沿って第４面部１４を第２面部１２に折り重ね、この状態で、第３面部１３と第４面部１４が内側になるように、第１縦折り線Ｔ１ａ、Ｔ１ｂに沿って第１面部１１を第２面部１２に折り重ね、さらに、第２縦折り線Ｔ２ａ、Ｔ２ｂに沿って突出面部１７を第１面部１１に折り重ね、スナップボタン凸部１８ａをスナップボタン凹部１８ｂにはめ込み、図１に示すような直方体形状のマスクケース１が組み立てられる。
この場合、各第１縦折り線Ｔ１ａ、Ｔ１ｂ、第２縦折り線Ｔ２ａ、Ｔ２ｂ、第１横折り線Ｙ１ａ、Ｙ１ｂは、第２横折り線Ｙ２ａ、Ｙ２ｂは、プラスチックシート１０の正面側に設けられた浅い線状の溝により形成されている。
【００２３】
図３は、プラスチックシート１０にカバー面部を設けたものの展開図であり、同図（ａ）は三角形状のカバー面部を設けたものの展開図、同図（ｂ）は、長方形状のカバー面部を設けたものの展開図である。
図中、１０’、１０”はプラスチックシート、１３ｅ、１３ｆ、１４ｅ、１４ｆは切欠き、１９ａ１、１９ａ１’は第１カバー面部、１９ｂ１、１９ｂ１’は第２カバー面部、１９ａ２、１９ｂ２は上面部、Ｙ３ａ、Ｙ３ｂは第３横折り線、Ｙ４ａ、Ｙ４ｂは第４横折り線であり、図２（ａ）のプラスチックシート１０と同一の部分については同一の符号を付す。
図３（ａ）に示すように、プラスチックシート１０’においては、第１面部１１の第１横折り線Ｙ１ａ、Ｙ１ｂと対向する側に、第３横折り線Ｙ３ａ、Ｙ３ｂにより上面部１９ａ２が形成され、第３横折り線Ｙ３ａ、Ｙ３ｂ（上面部１９ａ２）を介して三角形状の第１カバー面部１９ａ１が連設され、第２面部１２の第２横折り線Ｙ２ａ、Ｙ２ｂと対向する側に、第４横折り線Ｙ４ａ、Ｙ４ｂにより上面部１９ｂ２が形成され、第４横折り線Ｙ４ａ、Ｙ４ｂ（上面部１９ｂ２）を介して三角形状の第２カバー面部１９ｂ１が連設されている。
図３（ｂ）に示すように、プラスチックシート１０”においては、三角形状の第１カバー面部１９ａ１、１９ａ１’に代えて長方形状の第２カバー面部１９ａ１’、１９ｂ１’が、第３横折り線Ｙ３ａ、Ｙ３ｂ（上面部１９ａ２）、第４横折り線Ｙ４ａ、Ｙ４ｂ（上面部１９ｂ２）を介して第１面部１１、第２面部１２に連設されている。
また、プラスチックシート１０’、１０”の第３面部１３においては、プラスチックシート１０と異なり、切欠き１３ｄに加えてさらに半円状の切欠き１３ｅ、１３ｆが設けられ、プラスチックシート１０’、１０”の第４面部１４においては、切欠き１４ｄ加えてさらに半円状の切欠き１４ｅ、１４ｆが設けられている。
なお、第３横折り線Ｙ３ａ、Ｙ３ｂ、第４横折り線Ｙ４ａ、Ｙ４ｂは、第１横折り線Ｙ１ａ、Ｙ１ｂ等と同様に、プラスチックシート１０’、１０”の正面側に設けられた浅い線状の溝により形成されている。
【００２４】
ここで、本発明における第１係合固定部、第１引掛け部、第２引掛け部の形状は、Ｕ字状の溝穴ＭＡ１、ＭＡ２により形成される長舌片Ｚ１ａ、Ｚ１ｂに限定されるものではなく、コの字状、台形状、半円状、円弧状、くの字状、Ｖ字状等の溝穴から形成されるコの字状、台形状、半円状、円弧状、くの字状、Ｖ字状等であってもよく、溝穴と第１係合固定部等の形状が異なっていてもよい。
本発明における第２係合固定部の形状も、半円状の切欠き１３ｂ、１３ｃにより形成される短舌片Ｚ２ａ、Ｚ２ｂに限定されるものではなく、コの字状、台形状、くの字状、Ｖ字状等の切欠きから形成される形状のものであってもよく、切欠きから形成されない凸形状であってもよい。
また、本発明における第１縦折り線、第２縦折り線、第１横折り線、第２横折り線、第３横折り線、第４横折り線は、１本の浅い線状の溝等により形成されているものであってもよい。
さらに、本発明における止め部は、突出面部１７の先端部を第１面部１１に設けた切込みに差し込むものや、フック状に起毛された側とループ状に密集して起毛された側とを押し付けて貼り付ける面ファスナー等であってもよい。
【００２５】
［マスク］
図４は、マスクケース１に収納されるマスクの斜視図であり、同図（ａ）は、第１マスクを表し、同図（ｂ）は、第２マスクを表し、同図（ｃ）は、ウレタンマスクを表している。
図中、２０は第１マスク、２１はマスク本体、２２、２３は耳掛け部、３０は第２マスク、３１はマスク本体、３２、３３は耳掛け部、４０はウレタンマスク、４１ａ、４１ｂはマスク本体、４２、４３は耳掛け部、４２ｈ、４３ｈは耳掛け穴、４４はつなぎ部である。
第１マスク２０は、図４（ａ）に示すように、マスク本体２１がガーゼや不織布等からなる平面的な長方形状であり、一対の耳掛け部２２、２３が耳掛け紐である普通サイズの平型マスクである。
第２マスク３０は、図４（ｂ）に示すように、第１マスク２０と同様、マスク本体３１がガーゼや不織布等からなる平面的な長方形状であり、一対の耳掛け部３２、３３は耳掛け紐であるが、マスク本体３１が第１マスク２０のマスク本体２１より大きく、耳掛け部３２、３３も耳掛け部２２、２３より長い大サイズの平型マスクである。
この場合、本発明における第１マスク・第２マスクは、第１マスク２０・第２マスク３０のような平型マスクに限定されるものではなく、布素材等からなり顔のラインに沿った形の立体型マスクや不織布等からなり上下に開く形のプリーツ型マスクであってもよい。
すなわち、第１マスクと第２マスクは、耳掛け部も含めて全体の形状、サイズの少なくとも一方が異なり、マスク本体を広げて耳掛け部を伸ばした状態で、長手方向中央か耳掛け部先端までの長さが異なっていればよい。
ウレタンマスク４０は、図４（ｃ）に示すように、ポリウレタン素材のシートからなり、左側のマスク本体４１ａと右側のマスク本体４１ｂをつなぎ部４４が湾曲するようにつなぎ合わせた立体型マスクであり、耳掛け部に耳掛け紐を使用せず、マスク本体４１ａ、４１ｂに耳掛け穴４２ｈ、４３ｈを設けて一対の耳掛け部４２、４３が形成されている。
【００２６】
［マスクケース１へのマスクの収納方法］
次に、マスクケース１へ第１マスク２０、第２マスク３０、ウレタンマスク４０等を収納する方法について説明する。
図５、図６は、第１マスク２０をマスクケース１に収納する方法を説明する説明図であり、図５（ａ）は、第１マスク２０を上下方向に２つ折りした状態の正面図、図５（ｂ）は、展開したプラスチックシート１０に２つ折りした第１マスク２０を重ねた状態の正面図、図６（ａ）は、第１横折り線Ｙ１ａ、Ｙ１ｂに沿って第３面部１３を第１面部１１に折り重ね、第２横折り線Ｙ２ａ、Ｙ２ｂに沿って第４面部１４を第２面部１２に折り重ねた状態の正面図、図６（ｂ）は、第１マスク２０の耳掛け部２２、２３を長舌片Ｚ１ａ、Ｚ１ｂに係合固定した状態の平面図、図６（ｃ）は、第３面部１３と第４面部１４が内側になるように、第１縦折り線Ｔ１ａ、Ｔ１ｂに沿って第１面部１１を第２面部１２に折り重ねた状態の平面図である。
以下、第１マスク２０をマスクケース１に収納する方法を説明する。
【００２７】
まず、図５（ａ）に示すように、第１マスク２０のマスク本体２１を上下方向に２つ折りし、耳掛け部２２、２３を左右方向に伸ばした状態にする。
次いで、図５（ｂ）に示すように、２つ折りした第１マスク２０のマスク本体２１を、展開した状態のプラスチックシート１０の第１面部１１と第２面部１２に重ねる。
次いで、図６（ａ）に示すように、第１横折り線Ｙ１ａ、Ｙ１ｂに沿って第３面部１３を第１面部１１に折り重ね、すなわち、第１面部１１と底面部１６ａと第３面部１３が断面コの字状になるように折って、第１面部１１と第３面部１３の間にマスク本体２１の左側部分を挟み込み、同様にして、第２横折り線Ｙ２ａ、Ｙ２ｂに沿って第４面部１４を第２面部１２に折り重ね、すなわち、第２面部１２と底面部１６ｂと第４面部１４が断面コの字状になるように折って、第２面部１２と第４面部１４の間にマスク本体２１の右側部分を挟み込む。
このとき、第１マスク２０の耳掛け部２２の先端部分が第３面部１３の切欠き１３ｄから外側にはみ出し、第１マスク２０の耳掛け部２３の先端部分が第４面部１４の切欠き１４ｄから外側にはみ出すようにする。
そして、図６（ｂ）に示すように、左側の耳掛け部２２を伸ばして切欠き１３ｄで折り返し（プラスチックシート１０’、１０”の場合は、切欠き１３ｅ、１３ｆで折り返してもよい）、長舌片Ｚ１ａに引っ掛けて係合固定し、右側の耳掛け部２３を伸ばして切欠き１４ｄで折り返し（プラスチックシート１０’、１０”の場合は、切欠き１４ｅ、１４ｆで折り返してもよい）、長舌片Ｚ１ｂに引っ掛けて係合固定する。  この状態で、図６（ｃ）に示すように、第３面部１３と第４面部１４が内側になるように、第１縦折り線Ｔ１ａ、Ｔ１ｂに沿って第１面部１１を第２面部１２に折り重ね、すなわち、第１面部１１と底面部１５ａと第２面部１２が断面コの字状になるように折って、第１面部１１と第２面部１２の間に、第３面部１３、第４面部１４及び第１マスクを挟み込む。
最後に、第２縦折り線Ｔ２ａ、Ｔ２ｂに沿って突出面部１７を第１面部１１に折り重ね、スナップボタン凸部１８をスナップボタン凹部１９にはめ込み、第１面部１１と第２面部１２を固定する（図１参照）
これにより、第１マスク２０の耳掛け部２２、２３が長舌片Ｚ１ａ、Ｚ１ｂに係合固定された状態で、第３面部と第４面部１４を介して４つ折りされた第１マスク２０が、第１面部１１と第２面部１２の間に挟み込まれて固定され、マスクケース１に収納される。
なお、プラスチックシート１０’、１０”の場合は、図６（ｂ）の状態において、さらに、第３横折り線Ｙ３ａ、Ｙ３ｂに沿って第１カバー面部１９ａ１、１９ａ１’を第３面部１３に折り重ね、第４横折り線Ｙ４ａ、Ｙ４ｂに沿って第２カバー面部１９ａ１’、１９ｂ１’を第４面部１４に折り重ねる。
これにより、第１面部１１と第３面部１３に挟まれた第１マスク２０の上方が上面部１９ａ２で覆われ、第２面部１２と第４面部１４に挟まれた第１マスク２０の上方が上面部１９ｂ２で覆われ、第１マスク２０にウィルスが付着するのが防止される。
【００２８】
図７、図８は、第２マスク３０をマスクケース１に収納する方法を説明する説明図であり、図７（ａ）は、第２マスク３０を上下方向に２つ折りした状態の正面図、図７（ｂ）は、展開したプラスチックシート１０に２つ折りした第２マスク３０を重ねた状態の正面図、図８（ａ）は、第１横折り線Ｙ１ａ、Ｙ１ｂに沿って第３面部１３を第１面部１１に折り重ね、第２横折り線Ｙ２ａ、Ｙ２ｂに沿って第４面部１４を第２面部１２に折り重ねた状態の正面図、図８（ｂ）は、第２マスク３０の耳掛け部３２、３３を短舌片Ｚ２ａ、Ｚ２ｂに係合固定した状態の平面図、図８（ｃ）は、第３面部１３と第４面部１４が内側になるように、第１縦折り線Ｔ１ａ、Ｔ１ｂに沿って第１面部１１を第２面部１２に折り重ねた状態の平面図である。
第２マスク３０をマスクケース１に収納する方法は、耳掛け部３２、３３を短舌片Ｚ２ａ、Ｚ２ｂに係合固定する点を除いて、第１マスク２０をマスクケース１に収納する方法と同じである。
すなわち、図７（ａ）、（ｂ）、図８（ａ）に示すように、第２マスク３０を上下方向に２つ折りし、プラスチックシート１０の第１面部１１と第２面部１２に重ね、第１横折り線Ｙ１ａ、Ｙ１ｂに沿って第３面部１３を第１面部１１に折り重ね、第２横折り線Ｙ２ａ、Ｙ２ｂに沿って第４面部１４を第２面部１２に折り重ねるまでは、第１マスク２０をマスクケース１に収納する場合と同じである。
そして、第２マスク３０の場合、図８（ｂ）に示すように、左側の耳掛け部３２を伸ばして切欠き１３ｄで折り返し（プラスチックシート１０’、１０”の場合は、切欠き１３ｅ、１３ｆで折り返してもよい）、短舌片Ｚ２ａに引っ掛けて係合固定し、右側の耳掛け部３３を伸ばして切欠き１４ｄで折り返し（プラスチックシート１０’、１０”の場合は、切欠き１４ｅ、１４ｆで折り返してもよい）、短舌片Ｚ２ｂに引っ掛けて係合固定する。
このように第２マスク３０の場合、耳掛け部３２、３３を長舌片Ｚ１ａ、Ｚ１ｂではなく、短舌片Ｚ２ａ、Ｚ２ｂに係合固定する点で、第１マスク２０の場合と異なっている。
この後は、第１マスク２０の場合と同様に、図８（ｃ）に示すように、第３面部１３と第４面部１４が内側になるように、第１縦折り線Ｔ１ａ、Ｔ１ｂに沿って第１面部１１を第２面部１２に折り重ね、第２縦折り線Ｔ２ａ、Ｔ２ｂに沿って突出面部１７を第１面部１１に折り重ね、スナップボタン凸部１８をスナップボタン凹部１９にはめ込み、第１面部１１と第２面部１２を固定する。
以上のように、第２マスク３０は、マスク本体３１を広げて耳掛け部３２、３３を伸ばした状態で、長手方向中央か耳掛け部３２、３３先端までの長さが、第１マスク２０と異なっているが、耳掛け部３２、３３を長舌片Ｚ１ａ、Ｚ１ｂではなく、短舌片Ｚ２ａ、Ｚ２ｂに係合固定することにより、４つ折りされた第２マスク３０を第１面部１１と第２面部１２の間に挟み込んで固定し、マスクケース１に収納することができる。
なお、プラスチックシート１０’、１０”の場合は、図８（ｂ）の状態において、さらに、第３横折り線Ｙ３ａ、Ｙ３ｂに沿って第１カバー面部１９ａ１、１９ａ１’を第３面部１１に折り重ね、第４横折り線Ｙ４ａ、Ｙ４ｂに沿って第２カバー面部１９ａ１’、１９ｂ１’を第４面部１４に折り重ねる。
これにより、第１面部１１と第３面部１３に挟まれた第２マスク３０の上方が上面部１９ａ２で覆われ、第２面部１２と第４面部１４に挟まれた第２マスク３０の上方が上面部１９ｂ２で覆われ、第２マスク３０にウィルスが付着するのが防止される。
【００２９】
図９、図１０は、第１ウレタンマスクと第２ウレタンマスクをマスクケース１に収納する方法を説明する説明図であり、図９（ａ）は、第１ウレタンマスクと第２ウレタンマスクを左右方向に２つ折りした状態の正面図、図９（ｂ）は、左右方向に２つ折りした第１ウレタンマスクと第２ウレタンマスクを上下方向に２つ折りした状態の正面図、図９（ｃ）は、展開したプラスチックシート１０に４つ折りした第１ウレタンマスクと第２ウレタンマスクを重ねた状態の正面図、図１０（ａ）は、第１横折り線Ｙ１ａ、Ｙ１ｂに沿って第３面部１３を第１面部１１に折り重ね、第２横折り線Ｙ２ａ、Ｙ２ｂに沿って第４面部１４を第２面部１２に折り重ねた状態の正面図、図１０（ｂ）は、第１ウレタンマスクの耳掛け部を長舌片Ｚ１ａに係合固定し、第２ウレタンマスクの耳掛け部を長舌片Ｚ１ｂに係合固定した状態の平面図、図１０（ｃ）は、第３面部１３と第４面部１４が内側になるように、第１縦折り線Ｔ１ａ、Ｔ１ｂに沿って第１面部１１を第２面部１２に折り重ねた状態の平面図である。
この場合、第１ウレタンマスクは、図４（ｃ）に示すウレタンマスク４０と同じ構成のものであり、同一の符号を付し、第２ウレタンマスクも図４（ｃ）に示すウレタンマスク４０と同じ構造であるが、第２ウレタンマスクを５０、マスク本体を５１ａ、５１ｂ、耳掛け部を５２、５３、耳掛け穴を５２ｈ、５３ｈと、第２ウレタンマスクに第１ウレタンマスクとは異なる符号を付し、第１ウレタンマスクと第２ウレタンマスクを区別する。
以下、第１ウレタンマスク４０と第２ウレタンマスク５０をマスクケース１に収納する方法を説明する。
【００３０】
まず、図９（ａ）に示すように、第１ウレタンマスク４０を左右方向に２つ折りしてマスク本体４１ａ、４２ｂを重ね、第１ウレタンマスク４０と左右を逆にした第２ウレタンマスク５０を左右方向に２つ折りしてマスク本体５１ｂ、５１ａを重ねた状態にする。
この状態で、図９（ｂ）に示すように、第１ウレタンマスク４０を上下方向に２つ折りし、第２ウレタンマスク５０も上下方向に２つ折りする。
これにより、第１ウレタンマスク４０と第２ウレタンマスク５０は４つ折りした状態となる。
次いで、図９（ｃ）に示すように、４つ折りした第１ウレタンマスク４０のマスク本体４１ａ（４１ｂ）を、展開した状態のプラスチックシート１０の第１面部１１に重ね、４つ折りした第２ウレタンマスク５０のマスク本体５１ａ（５１ｂ）を、展開した状態のプラスチックシート１０の第２面部１２に重ねる。
次いで、図１０（ａ）に示すように、第１横折り線Ｙ１ａ、Ｙ１ｂに沿って第３面部１３を第１面部１１に折り重ね、すなわち、第１面部１１と底面部１６ａと第３面部１３が断面コの字状になるように折って、第１面部１１と第３面部１３の間に第１ウレタンマスク４０のマスク本体４１ａ（４１ｂ）を挟み込み、同様にして、第２横折り線Ｙ２ａ、Ｙ２ｂに沿って第４面部１４を第２面部１２に折り重ね、すなわち、第２面部１２と底面部１６ｂと第４面部１４が断面コの字状になるように折って、第２面部１２と第４面部１４の間に第２ウレタンマスク５０のマスク本体５１ａ（５１ｂ）を挟み込む。
このとき、第１ウレタンマスク４０の耳掛け部４２、４３が第３面部１３の切欠き１３ｄから外側にはみ出し、第２ウレタンマスク５０の耳掛け部５２、５３が第４面部１４の切欠き１４ｄから外側にはみ出すようにする。
そして、図１０（ｂ）に示すように、第１ウレタンマスク４０の耳掛け部４２、４３を切欠き１３ｄで折り返して長舌片Ｚ１ａに引っ掛けて係合固定し、第２ウレタンマスク５０の耳掛け部５２、５３を切欠き１４ｄで折り返して長舌片Ｚ１ｂに引っ掛けて係合固定する。
この状態で、図１０（ｃ）に示すように、第３面部１３と第４面部１４が内側になるように、第１縦折り線Ｔ１ａ、Ｔ１ｂに沿って第１面部１１を第２面部１２に折り重ね、すなわち、第１面部１１と底面部１５ａと第２面部１２が断面コの字状になるように折って、第１面部１１と第２面部１２の間に、第３面部１３、第４面部１４及び第１ウレタンマスク４０と第２ウレタンマスク５０を挟み込む。
最後に、第２縦折り線Ｔ２ａ、Ｔ２ｂに沿って突出面部１７を第１面部１１に折り重ね、スナップボタン凸部１８をスナップボタン凹部１９にはめ込み、第１面部１１と第２面部１２を固定する（図１参照）
これにより、第１ウレタンマスク４０の耳掛け部４２、４３が長舌片Ｚ１ａに係合固定され、第２ウレタンマスク５０の耳掛け部５２、５３が長舌片Ｚ１ｂに係合固定された状態で、第３面部と第４面部１４を介して４つ折りされた第１ウレタンマスク４０と第２ウレタンマスク５０が、第１面部１１と第２面部１２の間に挟み込まれて固定され、２個のウレタンマスクがマスクケース１に収納される。
この場合、第１ウレタンマスク４０と第２ウレタンマスク５０は、形状やサイズが異なるものであってもよい。
なお、プラスチックシート１０’、１０”の場合は、図１０（ｂ）の状態において、さらに、第３横折り線Ｙ３ａ、Ｙ３ｂに沿って第１カバー面部１９ａ１、１９ａ１’を第３面部１１に折り重ね、第４横折り線Ｙ４ａ、Ｙ４ｂに沿って第２カバー面部１９ａ１’、１９ｂ１’を第４面部１４に折り重ねる。
これにより、第１面部１１と第３面部１３に挟まれた第１ウレタンマスク４０の上方が上面部１９ａ２で覆われ、第２面部１２と第４面部１４に挟まれた第２ウレタンマスク５０の上方が上面部１９ｂ２で覆われ、第１ウレタンマスク４０と第２ウレタンマスク５０にウィルスが付着するのが防止される。
【産業上の利用可能性】
【００３１】
本発明のマスクケースは、マスクケースを衣服のポケットに入れて携帯できるようにコンパクトにし、マスクの耳掛け部を外部に露出させず、内側に収納固定して、ウィルスが付着する危険性をなくし、マスクがマスクケースから脱落することなく確実にマスクを収納することができ、種々の形状・大きさのマスクや耳掛け紐がないマスクに利用することができる。
【符号の説明】
【００３２】
１  マスクケース
１０、１０’、１０”  プラスチックシート
１１  第１面部
１２  第２面部
１３  第３面部
１３ａ  端縁
１３ｂ、１３ｃ、１３ｄ、１３ｅ、１３ｆ  切欠き
１４  第４面部
１４ａ  端縁
１４ｂ、１４ｃ、１４ｄ、１４ｅ、１４ｆ  切欠き
１５ａ、１５ｂ  側面部
１６ａ、１６ｂ  底面部
１７  突出面部
１８  スナップボタン
１８ａ  スナップボタン凸部
１８ｂ  スナップボタン凹部
１９ａ１、１９ａ１’  第１カバー面部
１９ｂ１、１９ｂ１’  第２カバー面部
１９ａ２、１９ｂ２  上面部
ＭＡ１、ＭＡ２  溝穴
Ｚ１ａ、Ｚ１ｂ  長舌片
Ｚ２ａ、Ｚ２ｂ  短舌片
Ｔ１ａ、Ｔ１ｂ  第１縦折り線
Ｔ２ａ、Ｔ２ｂ  第２縦折り線
Ｙ１ａ、Ｙ１ｂ  第１横折り線
Ｙ２ａ、Ｙ２ｂ  第２横折り線
Ｙ３ａ、Ｙ３ｂ  第３横折り線
Ｙ４ａ、Ｙ４ｂ  第４横折り線
２０は第１マスク
２１はマスク本体
２２、２３は耳掛け部
３０は第２マスク
３１はマスク本体
３２、３３は耳掛け部
４０  （第１）ウレタンマスク
４１ａ、４１ｂ  マスク本体
４２、４３  耳掛け部
４２ｈ、４３ｈ  耳掛け穴
４４  つなぎ部
５０  第２ウレタンマスク
５１ａ、５１ｂ  マスク本体
５２、５３  耳掛け部
５２ｈ、５３ｈ  耳掛け穴
【要約】      （修正有）【課題】種々の形状・大きさのマスクや耳掛け紐がないマスクに対しても、マスクの耳掛け部を外部に露出させず内側に収納固定してウィルスが付着する危険性をなくし、マスクがマスクケースから脱落することなく確実にマスクを収納できるようにする。【解決手段】第１マスク又は第２マスクを重ねたプラスチックシート１０を折り畳んで収納するマスクケースで、プラスチックシート１０は、第１面部１１、第２面部１２、第３面部１３、第４面部１４を備え、第１横折り線に沿って第３面部を第１面部に折り重ね、第２横折り線に沿って第４面部を第２面部に折り重ねた状態で、第１縦折り線に沿って第１面部を前記第２面部側に折り重ねて固定するスナップボタン１８が設けられ、第２面部と第４面部には、第１マスクの一対の耳掛け部を係合固定する長舌片Ｚ１ａ，Ｚ１ｂと、第２マスクの一対の耳掛け部を係合固定する短舌片Ｚ２ａ，Ｚ２ｂが設けられる。【選択図】図２【図１】
0006863640.tif 000002
【図２】
0006863640.tif 000003
【図３】
0006863640.tif 000004
【図４】
0006863640.tif 000005
【図５】
0006863640.tif 000006
【図６】
0006863640.tif 000007
【図７】
0006863640.tif 000008
【図８】
0006863640.tif 000009
【図９】
0006863640.tif 000010
【図１０】
0006863640.tif 000011
【図１１】
0006863640.tif 000012